(57)【要約】【課題】乗りかご内の虫を乗りかご外へ追い出すことができるエレベータシステムを提供する。【解決手段】エレベータの乗りかご１と、乗りかご１に設けられた複数の照明２と、エレベータのドア４と、エレベータを制御する制御部５と、エレベータホール８に設けられた照明３とを備えるエレベータシステムにおいて、制御部５に接続された動作ボタン７ａ（７ｂ、７ｃ）をさらに備える。制御部５は、動作ボタン７ａ（７ｂ、７ｃ）が操作されると、ドア４を閉めて乗りかご１に設けられた複数の照明２のうち最もドアに近い位置にある照明２ａだけを点灯させた後、乗りかご１に設けられた全ての照明２を消灯させてドア４を開けるとともに、乗りかご１が停止しているエレベータホール８に設けられた照明３を点灯させる制御を実行する。【選択図】図１
2014101200.tif 000002
【特許請求の範囲】
【請求項１】
エレベータの乗りかごと、前記乗りかごに設けられた複数の照明と、前記エレベータのドアと、前記エレベータを制御する制御部と、エレベータホールに設けられた照明とを備えるエレベータシステムにおいて、
前記制御部に接続された動作ボタンをさらに備え、
前記制御部は、前記動作ボタンが操作されると、前記ドアを閉めて前記乗りかごに設けられた複数の照明のうち最も前記ドアに近い位置にある照明だけを点灯させた後、前記乗りかごに設けられた全ての照明を消灯させて前記ドアを開けるとともに、前記乗りかごが停止している前記エレベータホールに設けられた照明を点灯させる制御を実行する、ことを特徴とするエレベータシステム。
【請求項２】
請求項１記載のエレベータシステムにおいて、
前記制御部は、前記乗りかごに設けられた複数の照明のうち最も前記ドアに近い位置にある照明だけを点灯させた後、前記乗りかごを少なくとも予め設定した階に移動させ、前記乗りかごに設けられた全ての照明を消灯させて前記ドアを開けるとともに、前記乗りかごが停止している前記エレベータホールに設けられた照明を点灯させる制御を実行するエレベータシステム。
【請求項３】
請求項１記載のエレベータシステムにおいて、
前記制御部は、前記乗りかごに設けられた複数の照明のうち最も前記ドアに近い位置にある照明だけを点灯させた後、予め定めた時間が経過したら、前記乗りかごに設けられた全ての照明を消灯させて前記ドアを開けるとともに、前記乗りかごが停止している前記エレベータホールに設けられた照明を点灯させる制御を実行するエレベータシステム。
【請求項４】
請求項１記載のエレベータシステムにおいて、
前記動作ボタンは、前記乗りかごに設けられるエレベータシステム。
【請求項５】
請求項１記載のエレベータシステムにおいて、
前記動作ボタンは、前記エレベータホールに設けられるエレベータシステム。
【請求項６】
請求項１記載のエレベータシステムにおいて、
前記動作ボタンは、前記乗りかごを監視する監視室に設けられるエレベータシステム。
【請求項７】
複数の照明を有する乗りかごとドアとを備えるエレベータを制御するエレベータの制御装置において、
動作ボタンと接続され、前記動作ボタンが操作されると、前記ドアを閉めて前記複数の照明のうち最も前記ドアに近い位置にある照明だけを点灯させた後、前記複数の照明の全てを消灯させて前記ドアを開けるとともに、前記乗りかごが停止しているエレベータホールに設けられた照明を点灯させる制御を実行する、ことを特徴とするエレベータの制御装置。
【請求項８】
請求項７記載のエレベータの制御装置において、
前記複数の照明のうち最も前記ドアに近い位置にある照明だけを点灯させた後、前記乗りかごを少なくとも予め設定した階に移動させ、前記複数の照明の全てを消灯させて前記ドアを開けるとともに、前記乗りかごが停止しているエレベータホールに設けられた照明を点灯させる制御を実行するエレベータの制御装置。
【請求項９】
請求項７記載のエレベータの制御装置において、
前記複数の照明のうち最も前記ドアに近い位置にある照明だけを点灯させた後、予め定めた時間が経過したら、前記複数の照明の全てを消灯させて前記ドアを開けるとともに、前記乗りかごが停止しているエレベータホールに設けられた照明を点灯させる制御を実行するエレベータの制御装置。
【発明の詳細な説明】
【技術分野】
【０００１】
本発明は、エレベータシステムに関し、より詳細には、エレベータの乗りかご内の虫を追い出すことが可能なエレベータシステムに関する。
【背景技術】
【０００２】
エレベータの乗りかご内の虫を除去する装置には、例えば、乗りかごに設置された噴射ボタンが押下されたときに、害虫忌避成分を含む害虫駆除剤を噴射する装置がある。また、例えば、害虫を引き寄せる誘虫灯と害虫を吸引する吸引ファンと害虫を捕獲する捕獲部とを有する乗りかごにより、乗りかごに入り込んだ害虫を捕獲する装置がある。
【０００３】
特許文献１には、少なくとも屋外に面する出入り口を有する特定階のドアを開くと、かご内に設けた照明を消灯するとともに、この特定階の乗場に設けた集蛾灯を点灯させるエレベータの制御装置が記載されている。このエレベータの制御装置は、虫が乗りかご内に入らないようにすることを目的としている。
【先行技術文献】
【特許文献】
【０００４】
【特許文献１】特開２００４−１４９２５９号公報
【発明の概要】
【発明が解決しようとする課題】
【０００５】
害虫駆除剤を噴射する装置には、害虫駆除剤を噴射することでエレベータの乗りかご内の乗客に不快感を与えかねないという課題がある。また、エレベータの乗りかごに噴射された害虫駆除剤が人体に悪影響を与えるかもしれないことも考えられる。誘虫灯と吸引ファンと捕獲部とを有する乗りかごにより害虫を捕獲する装置には、害虫を捕獲部に集めるため、乗りかご内から害虫を除去できないという課題がある。
【０００６】
特許文献１に記載の制御装置は、虫が乗りかご内に入らないようにする処理を行うものであり、一旦乗りかご内の虫を乗りかごから追い出すことは困難である。また、乗りかごが特定階に停止してドアを開いたときにのみ動作する装置であるので、特定階以外の階では、虫が乗りかご内に入らないようにすることや乗りかご内の虫を乗りかごから追い出すことは困難である。
【０００７】
本発明の目的は、乗りかご内の虫を乗りかご外へ追い出すことができるエレベータシステムを提供することである。
【課題を解決するための手段】
【０００８】
上記課題を解決するために、本発明によるエレベータシステムは、次のような特徴を有する。
【０００９】
エレベータの乗りかごと、前記乗りかごに設けられた複数の照明と、前記エレベータのドアと、前記エレベータを制御する制御部と、エレベータホールに設けられた照明とを備えるエレベータシステムにおいて、前記制御部に接続された動作ボタンをさらに備える。前記制御部は、前記動作ボタンが操作されると、前記ドアを閉めて前記乗りかごに設けられた複数の照明のうち最も前記ドアに近い位置にある照明だけを点灯させた後、前記乗りかごに設けられた全ての照明を消灯させて前記ドアを開けるとともに、前記乗りかごが停止している前記エレベータホールに設けられた照明を点灯させる制御を実行する。
【発明の効果】
【００１０】
本発明によれば、乗りかご内の虫を乗りかご外へ追い出すことができるエレベータシステムを提供することができる。
【図面の簡単な説明】
【００１１】
【図１】本発明の一実施形態によるエレベータシステムを示す概略図。
【図２】実施例１によるエレベータシステムが、乗りかご内の虫をエレベータホールへ追い出す動作のフローチャート。
【図３】実施例２によるエレベータシステムが、乗りかご内の虫をエレベータホールへ追い出す動作のフローチャート。
【図４】実施例３によるエレベータシステムが、乗りかご内の虫をエレベータホールへ追い出す動作のフローチャート。
【発明を実施するための形態】
【００１２】
本発明によるエレベータシステムは、エレベータの乗りかごの照明と、エレベータと連動制御することができるエレベータホールの照明と、エレベータのドアと、乗りかご及びエレベータホールの照明の点滅とドアの開閉とを制御する制御部を備え、虫が光に集まる習性（走光性）を利用することで、乗りかご内の虫をエレベータホールへ追い出すことができる。本発明によるエレベータシステムでは、乗客が乗りかごに乗り込む前に虫を乗りかご内から追い出すこともでき、さらには、監視室にいる監視員が乗りかご内から虫を追い出すこともできるので、エレベータの利用客は、より快適にエレベータを利用できる。以下、本発明によるエレベータシステムの実施形態について説明する。
【００１３】
図１は、本発明の一実施形態によるエレベータシステムを示す概略図である。本エレベータシステムは、エレベータの乗りかご１と、エレベータを制御する制御部５と、エレベータホール８に設けられ制御部５により点滅が制御されるホール照明３と、エレベータホール８に設けられたドア４ｂとを備える。乗りかご１は、制御部５により点滅が制御される複数の照明２と、ドア４ａと、制御部５に接続された動作ボタン７ａを備える。乗りかご１のドア４ａとエレベータホール８のドア４ｂは、エレベータのドア４を構成する。以下の説明では、乗りかご１に設けられた複数の照明２を「乗りかご照明２」と称し、乗りかご１に設けられた動作ボタン７ａを「乗りかごボタン７ａ」と称する。
【００１４】
制御部５は、エレベータを制御する制御装置であり、例えばエレベータを制御する制御盤に設けられる。以下に説明するように、制御部５は、乗りかご１のドア４ａとエレベータホール８のドア４ｂの開閉と、乗りかご照明２とホール照明３の点滅を制御する。
【００１５】
乗りかごボタン７ａは、本エレベータシステムが乗りかご１内の虫６をエレベータホール８へ追い出す動作を開始させるための動作ボタンである。乗りかごボタン７ａは、本エレベータシステムが乗りかご１内の虫６をエレベータホール８へ追い出す動作を終了させることもできる。乗りかご１内の乗客が乗りかごボタン７ａを操作すると、本エレベータシステムは、乗りかご１内の虫６をエレベータホール８へ追い出す動作を開始または終了する。
【００１６】
本エレベータシステムが乗りかご１内の虫６をエレベータホール８へ追い出す動作を開始または終了させるための動作ボタンは、乗りかご１内を監視する監視室１０に設けてもよい。エレベータホール８に設けられた動作ボタン７ｂを「ホールボタン７ｂ」と称し、監視室１０に設けられた動作ボタン７ｃを「監視室ボタン７ｃ」と称する。ホールボタン７ｂと監視室ボタン７ｃも、制御部５に接続される。エレベータホール８にいる人がホールボタン７ｂを操作すると、または監視室１０にいる監視員が監視室ボタン７ｃを操作すると、本エレベータシステムは、乗りかご１内の虫６をエレベータホール８へ追い出す動作を開始または終了する。
【００１７】
乗りかご照明２は、複数個設けられ、乗りかご１の内部を明るくする。図１の例では、乗りかご照明２は、乗りかご１の天井に、乗りかごのドア４ａに対向する乗りかごの側面９からドア４ａに向かう方向に沿って３個設けられている。乗りかご照明２の数は、複数であればよく、３個に限らない。また、乗りかご照明２の乗りかご１内での配置は、任意である。ただし、少なくとも１つの乗りかご照明２を、ドア４ａの付近に設けるのが好ましい。乗りかご照明２は、乗りかご１の床面や側面に設けてもよいが、乗りかご照明２の光に集まった虫６が乗りかご１の乗客の視界になるべく入らないように、乗りかご１の天井に設けるのが好ましい。後述するように、乗りかご照明２のうち、最もドアに近い位置にある乗りかご照明２ａは、制御部５により、他の乗りかご照明２とは異なる点滅制御がされる。
【００１８】
ホール照明３は、制御部５により、エレベータと連動して点滅が制御される。図１の例では、ホール照明３は、エレベータホール８の天井に１個設けられ、エレベータホール８を明るくする。ホール照明３の数は、１個でも複数個でもよい。ホール照明３のエレベータホール８内での位置は、任意であるが、ドア４ｂの付近に設けるのが好ましい。ホール照明３は、エレベータホール８の床面や側面に設けてもよいが、ホール照明３の光に集まった虫６がエレベータホール８にいる人の視界になるべく入らないように、エレベータホール８の天井に設けるのが好ましい。
【００１９】
なお、エレベータホール８には、エレベータホール８の明るさを確保するために、制御部５に制御されない照明（図示せず）が設けられてもよい。制御部５に制御されない照明は、例えば、常時点灯しているものとする。制御部５に制御されない照明をエレベータホール８に設ける場合には、ホール照明３は、制御部５に制御されない照明よりもドア４ｂの近くに設けられる。すなわち、制御部５に制御されない照明は、ホール照明３よりもドア４ｂから遠い位置に設けられる。
【００２０】
以下の説明では、乗りかご１のドア４ａとエレベータホール８のドア４ｂを総称して、「エレベータのドア４」または単に「ドア４」と称する。
【００２１】
制御部５は、乗りかご照明２とホール照明３の点滅とドア４の開閉を制御して、乗りかご１内の虫６をエレベータホール８へ追い出す。
【００２２】
以下、本実施形態によるエレベータシステムが、乗りかご１内の虫６をエレベータホール８へ追い出す動作について説明する。
【実施例１】
【００２３】
実施例１は、乗りかご１内の乗客の操作により、乗りかご１内の虫６をエレベータホール８へ追い出す場合の例である。乗りかご１内の乗客は、乗りかご１内に虫６がいるのに気付いたら、乗りかごボタン７ａを操作することで、乗りかご１内の虫６をエレベータホール８へ追い出すことができる。乗りかごボタン７ａの操作としては、乗りかごボタン７ａを押す、引く、回転させるなど様々な態様があるが、以下の実施例では、乗りかごボタン７ａを押す態様を操作の例に挙げる。
【００２４】
図２は、実施例１によるエレベータシステムが、乗りかご１内の虫６をエレベータホール８へ追い出す動作のフローチャートである。
【００２５】
エレベータを起動させると、制御部５は、エレベータを通常に運転し、ドア４の開閉と乗りかご１の移動を行う（Ｓ１）。このとき、乗りかご１内の乗りかご照明２は少なくとも任意の１つが点灯しており、エレベータホール８のホール照明３は消灯している。
【００２６】
乗りかご１の中に虫６がいる場合、乗りかご１内の乗客は、乗りかごボタン７ａを押す。乗りかごボタン７ａが押されると（Ｓ２）、制御部５は、乗りかご１内の虫６をエレベータホール８へ追い出す動作を開始する。乗りかご１内の乗客は、乗りかごボタン７ａを押した後、乗りかご１から出てもよいし、乗りかご１内にいてもよい。
【００２７】
エレベータのドア４が開いている場合、制御部５はドア４を閉める（Ｓ３、Ｓ４）。これは、後述するように乗りかご１を移動させるためでもあるが、乗りかご１内にさらに虫６を入れないためである。ドア４を開けていると、次に述べるＳ５の処理で、乗りかご１の外部から乗りかご１内に虫６が侵入する恐れがある。
【００２８】
虫６をエレベータホール８へ効果的に追い出すためには、虫６をドア４の付近に集める必要がある。そこで、制御部５は、複数の乗りかご照明２を制御し、最もドア４に近い位置にある乗りかご照明２ａを点灯させ（Ｓ５）、その他の乗りかご照明２を消灯させる。これによって、最もドア４に近い位置にある乗りかご照明２ａの周囲に、乗りかご１内の虫６を集めることができる。
【００２９】
その後、制御部５は、乗りかご１を予め設定した階へ移動させる（Ｓ６）。予め設定した階とは、乗りかご１内の虫６を逃がす階である。乗りかご１内の虫６を逃がす階は、任意に設定できるが、例えば、１階や屋上階などの屋外と連絡している階に設定するのが好ましい。乗りかご１が予め設定した階へ移動するまでの間に乗客の行き先階やエレベータホール８からの呼び出し階を経由する場合は、制御部５は、乗りかご１をそれらの階に停止させてもよい。
【００３０】
乗りかご１が予め設定した階で停止したら（または、予め設定した階よりも先に、行き先階や呼び出し階で停止したら）、制御部５は、最もドア４に近い位置にある乗りかご照明２ａを消灯させて、全ての乗りかご照明２を消灯させる（Ｓ７、Ｓ８）。
【００３１】
制御部５は、この状態でドア４を開け（Ｓ９）、乗りかごが停止しているエレベータホール８のホール照明３を点灯させる（Ｓ１０）。全ての乗りかご照明２が消灯しておりホール照明３が点灯しているため、乗りかご１内の虫６は、ホール照明３の光源に引き寄せられる。このようにして、乗りかご１内の虫６を乗りかご１から追い出すことができる。
【００３２】
制御部５は、エレベータホール８のホール照明３を点灯させた後、予め定めた時間が経過したら、乗りかご１内の虫６をエレベータホール８へ追い出す動作を終了する（Ｓ１１）。この予め定めた時間は、任意に設定できるが、例えば、乗りかご１内の虫６がエレベータホール８へ出ていくのに十分な時間に設定することができる。または、制御部５は、乗りかご１内の乗客によって乗りかごボタン７ａが押されると、乗りかご１内の虫６をエレベータホール８へ追い出す動作を終了してもよい。
【００３３】
この後、制御部５は、ドア４を閉め、少なくとも１つの乗りかご照明２を点灯させ、ホール照明３を消灯させる（Ｓ１２）。
【００３４】
なお、Ｓ８、Ｓ９、及びＳ１０の処理は、短時間のうちに連続して行う。このため、全ての乗りかご照明２が消灯した後、すぐにドア４が開いてホール照明３が点灯するので、乗りかご１内に乗客がいても、その乗客は、乗りかご照明２が全て消灯した乗りかご１内に閉じ込められることはない。
【００３５】
以上説明したように、本実施例によるエレベータシステムでは、乗りかご１内の乗客は、乗りかご１内に虫６がいるのに気付いたら、乗りかごボタン７ａを押すことで、乗りかご１内の虫６をエレベータホール８へ追い出すことができる。
【実施例２】
【００３６】
実施例２は、エレベータホール８にいる人の操作により、乗りかご１内の虫６をエレベータホール８へ追い出す場合の例である。エレベータホール８にいる人は、乗りかご１内に虫６がいるのに気付いたら、ホールボタン７ｂを押すことで、乗りかご１内の虫６をエレベータホール８へ追い出すことができる。この場合は、乗りかご１を、現在停止している階から他の階に移動させなくてもよい。
【００３７】
図３は、実施例２によるエレベータシステムが、乗りかご１内の虫６をエレベータホール８へ追い出す動作のフローチャートである。図３に示した実施例２のフローチャートは、図２に示した実施例１のフローチャートにおいて、Ｓ６とＳ７の処理を省いたものである。以下では、実施例１と異なる点について説明し、実施例１と同一の処理については説明を省略する場合もある。
【００３８】
エレベータホール８にいる人は、乗りかご１内に虫６がいるのに気付いたら、ホールボタン７ｂを押す。ホールボタン７ｂが押されると（Ｓ２２）、本エレベータシステムの制御部５は、乗りかご１内の虫６をエレベータホール８へ追い出す動作を開始する。
【００３９】
エレベータのドア４が開いている場合、制御部５はドア４を閉める（Ｓ３、Ｓ４）。これは、乗りかご１内にさらに虫６を入れないためである。
【００４０】
制御部５は、最もドア４に近い位置にある乗りかご照明２ａを点灯させ（Ｓ５）、その他の乗りかご照明２を消灯させる。これによって、最もドア４に近い位置にある乗りかご照明２ａの周囲に、乗りかご１内の虫６を集めることができる。
【００４１】
この後、予め定めた時間が経過したら、制御部５は、最もドア４に近い位置にある乗りかご照明２ａを消灯させて、全ての乗りかご照明２を消灯させる（Ｓ８）。この予め定めた時間は、任意に設定できるが、例えば、乗りかご１内の虫６が、最もドア４に近い位置にある乗りかご照明２ａの周囲に集まるのに十分な時間に設定することができる。
【００４２】
制御部５は、この状態でドア４を開け（Ｓ９）、乗りかごが停止しているエレベータホール８のホール照明３を点灯させる（Ｓ１０）。全ての乗りかご照明２が消灯しておりホール照明３が点灯しているため、乗りかご１内の虫６は、ホール照明３の光源に引き寄せられる。このようにして、乗りかご１内の虫６を乗りかご１から追い出すことができる。
【００４３】
制御部５は、エレベータホール８のホール照明３を点灯させた後、予め定めた時間が経過したら、乗りかご１内の虫６をエレベータホール８へ追い出す動作を終了する（Ｓ１１）。この予め定めた時間は、任意に設定できるが、例えば、乗りかご１内の虫６がエレベータホール８に出ていくのに十分な時間に設定することができる。または、制御部５は、エレベータホール８にいる人によってホールボタン７ｂが押されると、乗りかご１内の虫６をエレベータホール８へ追い出す動作を終了してもよい。
【００４４】
以上説明したように、本実施例によるエレベータシステムでは、エレベータホール８にいる人は、乗りかご１内に虫６がいるのに気付いたら、ホールボタン７ｂを押すことで、乗りかご１内の虫６をエレベータホール８へ追い出すことができる。従って、乗りかご１に乗り込む前に、乗りかご１内から虫６を追い出すことができる。
【実施例３】
【００４５】
実施例３は、監視室１０にいる監視員の操作により、乗りかご１内の虫６をエレベータホール８へ追い出す場合の例である。乗りかご１に監視カメラが設けられていると、監視員は、監視カメラの映像をモニタすることにより、乗りかご１内を監視することができる。乗りかご１内の監視中に、乗りかご１内に虫６がいるのに気付いたら、監視員は、監視室ボタン７ｃを押すことで、乗りかご１内の虫６をエレベータホール８へ追い出すことができる。この場合は、乗りかご１を、現在停止している階から他の階に移動させなくてもよい。
【００４６】
図４は、実施例３によるエレベータシステムが、乗りかご１内の虫６をエレベータホール８へ追い出す動作のフローチャートである。図４に示した実施例３のフローチャートは、図３に示した実施例２のフローチャートにおいて、Ｓ２２の処理が異なる。以下では、実施例２と異なる点について説明し、実施例２と同一の処理については説明を省略する。
【００４７】
監視室１０にいる監視員は、乗りかご１内に虫６がいるのに気付いたら、監視室ボタン７ｃを押す。監視室ボタン７ｃが押されると（Ｓ３２）、本エレベータシステムの制御部５は、乗りかご１内の虫６をエレベータホール８へ追い出す動作を開始する。
【００４８】
Ｓ１１において、制御部５は、エレベータホール８のホール照明３を点灯させた後、予め定めた時間が経過したら、乗りかご１内の虫６をエレベータホール８へ追い出す動作を終了する。または、制御部５は、監視室１０にいる監視員によって監視室ボタン７ｃが押されると、乗りかご１内の虫６をエレベータホール８へ追い出す動作を終了してもよい。
【００４９】
以上説明したように、本実施例によるエレベータシステムでは、監視室１０にいる監視員は、乗りかご１内に虫６がいるのに気付いたら、監視室ボタン７ｃを押すことで、乗りかご１内の虫６をエレベータホール８へ追い出すことができる。従って、乗りかご１内の乗客やエレベータホール８にいる人に、乗りかご１内から虫６を追い出すための操作をさせる必要がなく、より快適にエレベータを利用してもらうことができる。
【００５０】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【００５１】
また、本発明によるエレベータシステムの各構成は、これらの一部または全部を、例えば集積回路で設計する等により、ハードウェアで実現してもよい。また、これらの一部または全部は、プロセッサがそれぞれの機能を実現するプログラムを解釈し実行するようにして、ソフトウェアで実現してもよい。各機能を実現するプログラム、テーブル、ファイル、測定情報、及び算出情報等の情報は、メモリ、ハードディスク、及びＳＳＤ（Ｓｏｌｉｄ  Ｓｔａｔｅ  Ｄｒｉｖｅ）等の記録装置、または、ＩＣカード、ＳＤカード、及びＤＶＤ等の記録媒体に記録することができる。よって、本発明によるエレベータシステムの各構成は、処理部、処理ユニット、及びプログラムモジュールなどとして、各機能の実現が可能である。
【００５２】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００５３】
１…乗りかご、２…乗りかご照明、２ａ…最もドアに近い位置にある乗りかご照明、３…ホール照明、４…エレベータのドア、４ａ…乗りかごのドア、４ｂ…エレベータホールのドア、５…制御部、６…虫、７ａ…乗りかごボタン、７ｂ…ホールボタン、７ｃ…監視室ボタン、８…エレベータホール、９…乗りかごのドアに対向する乗りかごの側面、１０…監視室。
【図１】
2014101200.tif 000003
【図２】
2014101200.tif 000004
【図３】
2014101200.tif 000005
【図４】
2014101200.tif 000006